(57)【要約】【課題】側壁の外面にシート状又は板状の外付け部品を容易に重ねて取り付け可能な容器を提供する。【解決手段】本開示の容器１０では、短辺側壁２０及び扉ベース部５１の対向面から突出する部位（第１嵌合筒部２４Ｈ及び第１嵌合突部５４、第２嵌合筒部２３Ｈ及び第２嵌合突部５５）同士の嵌合と係合とによって扉ベース部５１が短辺側壁２０に固定されるので、従来のように、扉ベース部５１の固定のために短辺側壁２０の外面側に突出する部分を無くすことができる。これにより、短辺側壁２０の外面に外付け部品を取り付け可能な範囲の制約が緩和され、部品取付部９４を広く確保することができる。【選択図】図５
2020192989.tif 000002
【特許請求の範囲】
【請求項１】
側壁を貫通する持手孔が内側から扉部材にて閉塞され、前記扉部材が外側から押されると回動して開く容器であって、前記扉部材に弾性ヒンジ部を介して一体形成される板状の扉ベース部が前記側壁の一部であるベース対向壁部の内面に重ねて固定される容器において、
前記側壁と前記扉ベース部との対向面からそれぞれ突出し、互いに嵌合して、前記扉ベース部を前記側壁と平行な面内で二次元的に位置決めする位置決嵌合部と、
前記側壁と前記扉ベース部との対向面からそれぞれ突出し、少なくとも一方の弾性変形を経て互いに係合して前記位置決嵌合部同士を抜け止めする抜止係合部と、
前記側壁の外面に設けられ、シート状又は板状の外付け部品が重ねて取り付けられかつ前記ベース対向壁部の外面の少なくとも一部を含む部品取付部と、を備える容器。
【請求項２】
前記側壁側の前記抜止係合部は、前記側壁から突出しかつ前記側壁を貫通する扉取付孔を有し、
前記扉ベース部側の前記抜止係合部は、前記扉ベース部から突出し、前記扉取付孔に嵌合して先端面が前記ベース対向壁部の外面と面一かそれより内側に位置し、
前記側壁側及び前記扉ベース部側の前記抜止係合部には、前記扉取付孔内で互いに係合する孔内係合部が備えられている請求項１に記載の容器。
【請求項３】
前記側壁に設けられ、外面に前記部品取付部を有しかつ前記ベース対向壁部を一部に含む部品取付平板部と、
前記ベース対向壁部の縁部から内側に突出する境界リブと、
前記境界リブの先端から折り返されて前記部品取付平板部のうち前記ベース対向壁部から離れた位置に接続されかつ前記部品取付平板部に対して傾斜する折返壁部と、
前記境界リブと前記折返壁部とに挟まれ、前記側壁の外面に開口する外溝部と、
が備えられている請求項１又は２に記載の容器。
【請求項４】
前記外溝部内に設けられ、前記境界リブと前記折返壁部とに直交し、前記部品取付平板部の外面と面一の先端面を有する複数の溝内リブを備える請求項３に記載の容器。
【請求項５】
前記側壁のうち前記部品取付平板部に対して少なくとも両側方でかつ内側に位置し、隣の側壁の内面と直交する内面を有する基礎平板部が備えられ、
前記部品取付平板部は、前記基礎平板部より外側に位置し、
前記部品取付平板部と前記基礎平板部とに対して、それらの間の段差壁が傾斜した平板状をなしている請求項３又は４に記載の容器。
【請求項６】
前記ベース対向壁部から突出し、前記扉ベース部に当接すると共に、一部が前記位置決嵌合部になった当接リブを備える請求項１乃至５の何れか１の請求項に記載の容器。
【発明の詳細な説明】
【技術分野】
【０００１】
本開示は、側壁に持手孔を有する容器に関する。
【背景技術】
【０００２】
この種の容器として、持手孔が内側から扉部材にて閉塞され、扉部材が外側から押されると回動して開くものが知られている。その扉部材は、弾性ヒンジ部を介して板状の扉ベース部を一体に備え、その扉ベース部から突出する係合突部が側壁に形成された扉取付孔に係合することで側壁に取り付けられている（例えば、特許文献１参照）。
【先行技術文献】
【特許文献】
【０００３】
【特許文献１】特開２００２−０６８２００号公報（図１）
【発明の概要】
【発明が解決しようとする課題】
【０００４】
ところで、上記した容器の側壁の外面に、ラベルやカードホルダー等のシート状又は板状の外付け部品を重ねて取り付けたいという要望にある。しかしながら、上記した従来の容器では、扉取付孔を貫通した係合突部が側壁の外側に突出していて、上記外付け部品を取り付け可能な範囲が制約されるという問題があり、そのような制約が緩和された容器の開発が望まれている。
【課題を解決するための手段】
【０００５】
上記課題を解決するためになされた請求項１の発明は、側壁を貫通する持手孔が内側から扉部材にて閉塞され、前記扉部材が外側から押されると回動して開く容器であって、前記扉部材に弾性ヒンジ部を介して一体形成される板状の扉ベース部が前記側壁の一部であるベース対向壁部の内面に重ねて固定される容器において、前記側壁と前記扉ベース部との対向面からそれぞれ突出し、互いに嵌合して、前記扉ベース部を前記側壁と平行な面内で二次元的に位置決めする位置決嵌合部と、前記側壁と前記扉ベース部との対向面からそれぞれ突出し、少なくとも一方の弾性変形を経て互いに係合して前記位置決嵌合部同士を抜け止めする抜止係合部と、前記側壁の外面に設けられ、シート状又は板状の外付け部品が重ねて取り付けられかつ前記ベース対向壁部の外面の少なくとも一部を含む部品取付部と、を備える容器である。
【０００６】
請求項２の発明は、前記側壁側の前記抜止係合部は、前記側壁から突出しかつ前記側壁を貫通する扉取付孔を有し、前記扉ベース部側の前記抜止係合部は、前記扉ベース部から突出し、前記扉取付孔に嵌合して先端面が前記ベース対向壁部の外面と面一かそれより内側に位置し、前記側壁側及び前記扉ベース部側の前記抜止係合部には、前記扉取付孔内で互いに係合する孔内係合部が備えられている請求項１に記載の容器である。
【０００７】
請求項３の発明は、前記側壁に設けられ、外面に前記部品取付部を有しかつ前記ベース対向壁部を一部に含む部品取付平板部と、前記ベース対向壁部の縁部から内側に突出する境界リブと、前記境界リブの先端から折り返されて前記部品取付平板部のうち前記ベース対向壁部から離れた位置に接続されかつ前記部品取付平板部に対して傾斜する折返壁部と、前記境界リブと前記折返壁部とに挟まれ、前記側壁の外面に開口する外溝部と、が備えられている請求項１又は２に記載の容器である。
【０００８】
請求項４の発明は、前記外溝部内に設けられ、前記境界リブと前記折返壁部とに直交し、前記部品取付平板部の外面と面一の先端面を有する複数の溝内リブを備える請求項３に記載の容器である。
【０００９】
請求項５の発明は、前記側壁のうち前記部品取付平板部に対して少なくとも両側方でかつ内側に位置し、隣の側壁の内面と直交する内面を有する基礎平板部が備えられ、前記部品取付平板部は、前記基礎平板部より外側に位置し、前記部品取付平板部と前記基礎平板部とに対して、それらの間の段差壁が傾斜した平板状をなしている請求項３又は４に記載の容器である。
【００１０】
請求項６の発明は、前記ベース対向壁部から突出し、前記扉ベース部に当接すると共に、一部が前記位置決嵌合部になった当接リブを備える請求項１乃至５の何れか１の請求項に記載の容器である。
【発明の効果】
【００１１】
請求項１及び２の容器では、扉部材に弾性ヒンジ部を介して一体形成される板状の扉ベース部が側壁の一部であるベース対向壁部の内面に重ねられている。そして、側壁と扉ベース部の互いの対向面から突出する位置決嵌合部同士の嵌合と抜止係合部同士の係合とによって扉ベース部が側壁に固定されるので、従来のように、扉ベース部の固定のために側壁の外面側に突出する部分を無くすことができる。これにより、側壁の外面に外付け部品を取り付け可能な範囲の制約が緩和され、外付け部品を重ねて取り付けるための部品取付部を広く確保することができる。
【００１２】
請求項３の容器では、側壁の部品取付平板部の一部が、外溝部によって全体から切り離されたベース対向壁部になっている。そして、ベース対向壁部の縁部から内側に突出する境界リブと、その先端から折り返された折返壁部との間に外溝部を有する。これにより、境界リブによって扉ベース部を荷物から保護しつつ、側壁の外面を外溝部を跨いだ広い範囲に亘って平坦にすることができ、部品取付部を広く確保することができる。
【００１３】
請求項４の容器の外溝部内には、境界リブと折返壁部とに直交し、部品取付平板部の外面と面一の先端面を有する複数の溝内リブが備えられているので、強度が高くなると共に、溝内リブの先端面も外付け部品に重なり、外付け部品が安定する。
【００１４】
請求項５の容器では、基礎平板部と部品取付平板部との間の段差壁は、基礎平板部及び部品取付平板部に対して傾斜した平板状をなしているので、荷物が段差壁に引っ掛かることが防がれる。
【００１５】
請求項６の容器は、ベース対向壁部から突出して扉ベース部に当接すると共に、一部が位置決嵌合部となった当接リブを備えるので、扉ベース部が安定する。
【図面の簡単な説明】
【００１６】
【図１】本開示の実施形態に係る容器の斜視図
【図２】短辺側壁の外面側の斜視図
【図３】扉部品の斜視図
【図４】短辺側壁の内面の一部拡大斜視図
【図５】短辺側壁の一部破断斜視図
【図６】側壁と扉ベース部との係合部分の一部破断斜視図
【図７】カードホルダが取り付けられた短辺側壁の正面図
【図８】扉部材が開かれた状態の短辺側壁の側断面図
【図９】短辺側壁とカードホルダの一部破断斜視図
【発明を実施するための形態】
【００１７】
以下、図１〜図９を参照して、本開示の容器１０の一実施形態について説明する。図１に示すように、この容器１０は、上面が開放した箱形をなし、その平面形状は、例えば長方形になっている。また、容器１０の短辺側の１対の側壁２０（以下、「短辺側壁２０」という）と、長辺側の１対の側壁４０（以下、「長辺側壁４０」という）とは、それぞれ底部１１に対してヒンジ連結されている。そして、１対の短辺側壁２０を底部１１の上に重ねるように折り畳んでから、それらの上に１対の長辺側壁４０を重ねるように折り畳むことができる。
【００１８】
また、長辺側壁４０の両側部からは、縦長帯状のサイド突片４９が短辺側壁２０側に突出し、短辺側壁２０の外面両側部に重なっている。さらに、サイド突片４９には複数の貫通孔４９Ａが縦に並べて形成され、短辺側壁２０の外面両側部から突出する複数のサイド突部２９Ａ（図２参照）と凹凸係合している。
【００１９】
また、図２に示すように、短辺側壁２０の外面上部には、横方向に延びる１対の閂部材３８が横方向に並べて設けられ、短辺側壁２０のリブ２０Ｌによってスライド可能に支持されている。また、１対の閂部材３８の基端部は、短辺側壁２０の横方向の中央に配置された操作部３７に係合し、それらの係合部分はセンターカバー３９で外側から覆われている。さらに、操作部３７は図示しない弾性部材によって通常は原点位置に配置され、１対の閂部材３８の先端部は、長辺側壁４０の内面上部に設けられた図示しない閂係合孔に係合している。そして、操作部３７を操作すると１対の閂部材３８が互いに接近するようにスライドし、閂係合孔との係合が解除され、短辺側壁２０を折り畳むことができる。
【００２０】
図１に示すように、短辺側壁２０は、両側縁部と上縁部と下縁部に亘って連続する平板状の第１平板部２０Ａ（特許請求の範囲の「基礎平板部」に相当する）と、第１平板部２０Ａに包囲された部分を位置する第２平板部２０Ｂ（特許請求の範囲の「部品取付平板部」に相当する）とに分けられ、第１平板部２０Ａと第２平板部２０Ｂとの間の段差壁２０Ｃが、第１平板部２０Ａ及び第２平板部２０Ｂに対して傾斜している。
【００２１】
なお、上縁部の第１平板部２０Ａは、側縁部の第１平板部２０Ａより幅広でありかつ、側縁部の第１平板部２０Ａは、下縁部の第１平板部２０Ａより幅広になっている。
【００２２】
図２に示すように、短辺側壁２０の外面においては、リブ２０Ｌが第２平板部２０Ｂの外面を包囲するように配置されている。具体的には、リブ２０Ｌは、第２平板部２０Ｂの両側方では、第２平板部２０Ｂと段差壁２０Ｃとの境界部と、段差壁２０Ｃ及び第１平板部２０Ａとに配置され、第２平板部２０Ｂより上側では、段差壁２０Ｃと第１平板部２０Ａとの境界部及び第１平板部２０Ａに配置され、さらに、第２平板部２０Ｂの下方では、第２平板部２０Ｂと段差壁２０Ｃとの境界部、段差壁２０Ｃ及び段差壁２０Ｃと第１平板部２０Ａとの境界部とに配置されている。そして、第２平板部２０Ｂの外面は、そこから突出するリブや突部等を有しない平坦な「部品取付部９４」になっている。
【００２３】
段差壁２０Ｃのうち第２平板部２０Ｂより上側で横方向に延びる部分は、その横方向の中央部分で分断され、その分断部分に持手孔２２が形成されている。持手孔２２は、横長の長方形をなし、前述のセンターカバー３９の真下に位置している。なお、持手孔２２の横幅は、センターカバー３９の横幅より僅かに小さい。
【００２４】
短辺側壁２０のうち持手孔２２の近傍部分は、扉部品５０を取り付ける為の構造を有する。その構造の説明の前に扉部品５０の構造について説明する。図３に示すように、扉部品５０は、全体が四角形の平板状をなし、その裏面５０Ｂの下端寄り位置には、横方向に延びる溝部５２Ｍが形成されて薄肉状の弾性ヒンジ部５２が備えられている。そして、弾性ヒンジ部５２より上側が扉部材５３をなす一方、弾性ヒンジ部５２より下側が扉ベース部５１になっている。また、扉部品５０の上縁部には、表（おもて）面５０Ａを上方に向かうに従って裏面５０Ｂに接近するように傾斜（又は湾曲）させた上縁円弧部５３Ａが形成されている。なお、扉部品５０の四隅は、円弧状に面取りされている。
【００２５】
扉部材５３の表面５０Ａからは、Ｕ形突部５３Ｂが突出している。Ｕ形突部５３Ｂは、断面四角形の突条をＵ状に湾曲させてなる。また、Ｕ形突部５３Ｂの両辺の上部は、上方に向かうに従って徐々に扉部材５３の表面５０Ａからの突出量が小さくなるように傾斜している。
【００２６】
扉ベース部５１の表面５０Ａからは、下縁突条５１Ａと第１嵌合突部５４と１対の第２嵌合突部５５とが突出している。下縁突条５１Ａは、断面四角形をなして扉ベース部５１の下縁部に沿って延びている。第１嵌合突部５４は、特許請求の範囲の「位置決嵌合部」に相当し、断面が横長の長方形をなして、扉ベース部５１の縦横両方向の概ね中央に配置されている。１対の第２嵌合突部５５は、第１嵌合突部５４の両側に対称に配置され、上下方向においては第１嵌合突部５４と下縁突条５１Ａとの間に位置している。
【００２７】
また、各第２嵌合突部５５は、特許請求の範囲の「位置決嵌合部」と「抜止係合部」とに相当し、断面が横長の長方形をなしたブロック体の先端上縁部から突起５６が突出した構造をなしている。また、その突起５６を含んだ第２嵌合突部５５全体の先端面の上縁部と下縁部とを面取りして１対のガイド斜面５５Ｓが形成されている。なお、突起５６は、特許請求の範囲の「孔内係合部」に相当する。
【００２８】
図２に示すように、第２平板部２０Ｂのうち持手孔２２の真下に位置する部分は、上記した扉ベース部５１が内側から重ねられるベース対向壁部９７になっている。そのベース対向壁部９７は、Ｕ字形に屈曲した外溝部９６によって第２平板部２０Ｂの全体から切り離され、扉ベース部５１に対応した横長の帯板状になっている。
【００２９】
具体的には、外溝部９６は、ベース対向壁部９７の下縁部及び両側縁部から短辺側壁２０の内側に突出する境界リブ９９と、境界リブ９９の先端から折り返されて第２平板部２０Ｂのうちベース対向壁部９７から離れた位置に接続された折返壁部９８との間に形成されている。また、境界リブ９９及び折返壁部９８は、ベース対向壁部９７の両側部から上方に延長されて持手孔２２の両側方を通過し、その上のリブ２０Ｌに交差している。さらに、図４に示すように、境界リブ９９の先端面９９Ａは、第１平板部２０Ａの内面と面一になって連続している。従って、境界リブ９９の先端面は、第１平板部２０Ａの内面が持手孔２２及びベース対向壁部９７を包囲するように延長された部分と捉えることができる。
【００３０】
また、折返壁部９８は、段差壁２０Ｃと同様に第２平板部２０Ｂに対して傾斜した板状になって持手孔２２の両側部分で段差壁２０Ｃとも交差している。従って、折返壁部９８は、段差壁２０Ｃが持手孔２２及びベース対向壁部９７を回避するために湾曲した部分と捉えることもできる。
【００３１】
また、図２に示すように、外溝部９６の内部には、複数の溝内リブ２０Ｄが備えられている。それら溝内リブ２０Ｄは、ベース対向壁部９７より下側部分と両側方部分とに亘って分散配置され、溝内リブ２０Ｄの先端面は、第２平板部２０Ｂの外面と面一になっている。
【００３２】
ベース対向壁部９７には、扉ベース部５１の第１嵌合突部５４と１対の第２嵌合突部５５に対応した位置決め孔２４と１対の扉取付孔２３とが貫通した状態に形成されている。また、図４に示すように、ベース対向壁部９７の内面からは当接リブ２５が突出している。当接リブ２５は、格子状をなし、その格子の升目の一部が、位置決め孔２４と１対の扉取付孔２３とに重ねられて、それら升目の内側部分までが位置決め孔２４及び１対の扉取付孔２３になっている。即ち、ベース対向壁部９７の内面から、位置決め孔２４を内側に有する第１嵌合筒部２４Ｈと、扉取付孔２３を内側に有する第２嵌合筒部２３Ｈとが突出した構造になっている。なお、第１と第２の嵌合筒部２３Ｈ，２４Ｈは、特許請求の範囲の「位置決嵌合部」に相当し、第２嵌合筒部２３Ｈは、特許請求の範囲の「抜止係合部」にも相当する。
【００３３】
当接リブ２５の先端面は第１平板部２０Ａの内面より扉部品５０の板厚分だけ外側にずれた位置に配置されている。また、当接リブ２５のうちベース対向壁部９７の下縁部分に沿った部分の先端面がさらに外側にずらされて扉ベース部５１の下縁突条５１Ａが受容される係合溝９１が形成されている。
【００３４】
当接リブ２５の一部は、ベース対向壁部９７より上方に延長されて持手孔２２の両側に位置し、リブ２０Ｌに接続されている。また、当接リブ２５の別の一部は、持手孔２２の下部に位置している。そして、持手孔２２は、当接リブ２５とリブ２０Ｌとによって四方を囲まれている。また、持手孔２２を包囲している当接リブ２５を、第２平板部２０Ｂの外面より外側に突出する位置まで延長して枠リブ２２Ｌ（図２参照）が形成されている。
【００３５】
図４に示すように、扉取付孔２３のうち下側の内面には、その横方向の中央に底上げ突条２３Ｂが形成されている。底上げ突条２３Ｂは、断面台形状をなして、扉取付孔２３の貫通方向に延びている。また、図５に示すように、扉取付孔２３のうち上側の内面には、突起２３Ａが設けられている。突起２３Ａは、特許請求の範囲の「孔内係合部」に相当し、扉取付孔２３のうち扉部品５０寄りに位置で横方向に延びる突条になっていて、その断面形状は、全体的に四角形をなしかつその下側一角部を面取りした形状をなしている。
【００３６】
扉ベース部５１は、ベース対向壁部９７に内側から重ねられて、当接リブ２５の先端面２５Ａに宛がわれている。また、扉ベース部５１の外側には境界リブ９９が嵌合する。そして、扉ベース部５１の下縁突条５１Ａが、係合溝９１に受容され、図６に示すように、扉ベース部５１の第１嵌合突部５４が位置決め孔２４に嵌合し、さらに、図５及び図６に示すように、１対の第２嵌合突部５５が１対の扉取付孔２３に嵌合して、その扉取付孔２３内で第２嵌合突部５５の突起５６が突起２３Ａに係合する。これらにより扉部品５０が短辺側壁２０に固定されている。
【００３７】
図４に示すように、持手孔２２の上部には、第１平板部２０Ａの内面を陥没させて内面陥没部２１が形成されている。また、内面陥没部２１の底面２１Ａと当接リブ２５の先端面２５Ａとは面一になって連続している。そして、図５に示すように、扉部材５３の上部が内面陥没部２１に受容され、この状態で扉部材５３のＵ形突部５３Ｂが持手孔２２の内側に嵌合される。
【００３８】
なお、図１に示すように、長辺側壁４０も第１平板部４０Ａと第２平板部４０Ｂとに分かれている。第２平板部４０Ｂは、長辺側壁４０のうち横方向の中央寄りの２箇所の四角形の領域を第１平板部４０Ａより外側にオフセットしてなる。また、第２平板部４０Ｂの上端は、長辺側壁４０の上端に位置し、第２平板部４０Ｂの下端は、長辺側壁４０の上下方向の中間に位置している。さらに、第１平板部４０Ａ及び第２平板部４０Ｂに対してそれらの間の段差面４０Ｃが傾斜している。また、長辺側壁４０の外面のリブ４０Ｌは、長辺側壁４０の外面の上縁部及び下縁部と、横方向における１対の第２平板部４０Ｂより外側位置とに偏在している。そして、長辺側壁４０の横方向の中央の下縁部のリブ４０Ｌには、図示しないクリップ式のカードホルダを取り付けるための係止爪４１が備えられている。
【００３９】
本実施形態の容器１０の構成に関する説明は以上である。次に、この容器１０の作用効果について説明する。容器１０の持手孔２２は、通常は図９に示すように扉部材５３によって塞がれている。そして、図８に示すように、持手孔２２に手を差し込むと、扉部材５３が手に押されて開く。また、持手孔２２から手を抜くと、扉部材５３が、元の位置に弾性復帰して持手孔２２が閉じる。
【００４０】
ここで、本実施形態の容器１０では、図５に示すように、扉部材５３に弾性ヒンジ部５２を介して一体形成される扉ベース部５１が短辺側壁２０の一部であるベース対向壁部９７の内面に重ねられている。そして、図６に示すように、短辺側壁２０と扉ベース部５１との対向面から突出する第１嵌合筒部２４Ｈ及び第１嵌合突部５４の嵌合と、１対の第２嵌合筒部２３Ｈ及び１対の第２嵌合突部５５の嵌合とによってベース対向壁部９７と平行な面内で二次元的に位置決めされる。また、第２嵌合突部５５及び第２嵌合筒部２３Ｈの突起２３Ａ、５６同士が扉取付孔２３内で係合して、扉ベース部５１がベース対向壁部９７に固定される。
【００４１】
つまり、本実施形態の容器１０では、短辺側壁２０及び扉ベース部５１の対向面から突出する部位（第１嵌合筒部２４Ｈ及び第１嵌合突部５４、第２嵌合筒部２３Ｈ及び第２嵌合突部５５）同士の嵌合と係合とによって扉ベース部５１が短辺側壁２０に固定されるので、従来のように、扉ベース部５１の固定のために短辺側壁２０の外面側に突出する部分を無くすことができる。これにより、短辺側壁２０の外面に外付け部品を取り付け可能な範囲の制約が緩和され、部品取付部９４を広く確保することができる。
【００４２】
そして、図７に示されているような「外付け部品」としての例えばカードホルダ８０を、部品取付部９４に取り付けることができる。具体的には、このカードホルダ８０は、横長の長方形のベースプレート８１の前面に、横長の長方形の上側一角部を斜めにカットした形状の透明な保持シート８２を重ね、その保持シート８２の外縁部の一部をベースプレート８１に固定した構造をなしている。そして、保持シート８２のうち斜めにカットされた部分か、それから離れた側の縦辺部分かの何れかからカードがベースプレート８１と保持シート８２との間に挿入されて保持される。このようなカードホルダ８０を、裏面に例えば両面テープを貼り、第２平板部２０Ｂの外面のうちリブ２０Ｌに沿った下側の一角部からベース対向壁部９７の一部に亘る範囲に重ねて取り付けることができる。
【００４３】
また、本実施形態の容器１０では、上述したように短辺側壁２０の第２平板部２０Ｂの一部が、外溝部９６によって全体から切り離されたベース対向壁部９７になっている。そして、ベース対向壁部９７の縁部から内側に突出して扉ベース部５１の外側に嵌合する境界リブ９９と、その先端から折り返された折返壁部９８との間に外溝部９６を有する。これにより、境界リブ９９によって扉ベース部５１を荷物から保護しつつ、上述の如く、第２平板部２０Ｂの外面を外溝部９６を跨いだ広い範囲に亘って平坦にすることができ、部品取付部９４を広く確保することができる。しかも、外溝部９６内には、第２平板部２０Ｂの外面と面一の先端面を有する複数の溝内リブ２０Ｄが備えられているので、強度が高くなると共に、溝内リブ２０Ｄの先端面もカードホルダ８０に重なり、カードホルダ８０が安定する。
【００４４】
また、図４に示すように、境界リブ９９の先端面９９Ａは、第２平板部２０Ｂより内側に位置する第１平板部２０Ａの内面と面一であり、折返壁部９８は、第１平板部２０Ａと第２平板部２０Ｂに対して傾斜しているので、荷物が境界リブ９９に引っ掛かることも防がれる。なお、短辺側壁２０のうち第２平板部２０Ｂが外側にオフセットしているので、容器１０の内容量が増すというメリットもある。
【００４５】
［他の実施形態］
（１）前記実施形態では、カードホルダ８０が部品取付部９４に取り付けられる例を示したが、容器１０の所有者や荷物の内容を表示したラベルを「外付け部品」として部品取付部９４に貼り付けてもよい。
【００４６】
（２）前記実施形態の容器１０は、折り畳み可能であったが、折り畳み不能なように上記実施形態と同様に構成を設けてもよい。
【００４７】
（３）前記実施形態の容器１０では、扉取付孔２３内の突起２３Ａに突形構造になっていたが凹形構造であってもよい。
【００４８】
（４）前記実施形態における扉取付孔２３は、短辺側壁２０を貫通していたが、貫通していなくてもよい。
【００４９】
（５）前記実施形態では、扉部材５３が下縁部を中心に回動したが、上縁部や側縁部を中心に回動する構成としてもよい。
【００５０】
（６）前記実施形態の容器１０は、特許請求の範囲の「位置決嵌合部」及び「抜止係合部」に相当する第２嵌合筒部２３Ｈと、「位置決嵌合部」及び「抜止係合部」に相当する第２嵌合突部５５を備えていたが、それら第２嵌合筒部２３Ｈと第２嵌合突部５５との代わりに、「抜止係合部」のみに相当する部位と、「抜止係合部」のみに相当する部位とを備えても良い。なお、「抜止係合部」のみに相当する部位及び「位置決嵌合部」のみに相当する部位としては、例えば、ベース対向壁部９７と扉ベース部５１とから片持ち梁状に突出して、それらの先端部に互いに係合する三角形の突起を備えた壁側弾性係合片及び扉側弾性係合片が挙げられる。
【００５１】
（７）前記実施形態の容器１０では、短辺側壁２０の一部であるベース対向壁部９７から当接リブ２５が突出していたが（図４参照）、ベース対向壁部９７に当接リブ２５を設ける代わりに、ベース対向壁部９７全体を厚肉構造にして短辺側壁２０から扉ベース部５１側に突出させると共に、その厚肉構造のベース対向壁部９７にも扉取付孔２３及び位置決め孔２４を設けておき、ベース対向壁部９７全体が特許請求の範囲の「位置決嵌合部」及び「抜止係合部」に相当するようにしてもよい。
【符号の説明】
【００５２】
１０    容器
２０    側壁（短辺側壁）
２０Ａ    第１平板部（基礎平板部）
２０Ｂ    第２平板部（部品取付平板部）
２０Ｃ    段差壁
２０Ｄ    溝内リブ
２２    持手孔
２３    扉取付孔
２３Ａ  突起（孔内係合部）
２３Ｈ  第２嵌合筒部（位置決嵌合部、抜止係合部）
２４Ｈ  第１嵌合筒部（位置決嵌合部）
２５    当接リブ
４０    側壁（長辺側壁）
５０    扉部品
５１    扉ベース部
５２    弾性ヒンジ部
５３    扉部材
５４    第１嵌合突部（位置決嵌合部）
５５    第２嵌合突部（位置決嵌合部、抜止係合部）
５６    突起（孔内係合部）
８０    カードホルダ（外付け部品）
９４    部品取付部
９６    外溝部
９７    ベース対向壁部
９８    折返壁部
９９    境界リブ
【図１】
2020192989.tif 000003
【図２】
2020192989.tif 000004
【図３】
2020192989.tif 000005
【図４】
2020192989.tif 000006
【図５】
2020192989.tif 000007
【図６】
2020192989.tif 000008
【図７】
2020192989.tif 000009
【図８】
2020192989.tif 000010
【図９】
2020192989.tif 000011